(57)【特許請求の範囲】
【請求項１】
土砂又は土嚢で保護しようとする法面を整形し、その土砂又は土嚢の表面に種子を備えた植生マット付きの保護ネットを敷設し、その保護ネットにアンカーを貫通させて法面の地山に達する深さまで打設し、敷設済みの保護ネットの表面に押え鉄筋を縦向き又は横向きに配置し、打設済みのアンカーの頭部にフック付きの固定具を取り付け、その固定具のフックを押え鉄筋に係止して保護ネットと植生マットを土砂又は土嚢の表面に固定するようにした、法面保護工法。
【請求項２】
固定具が、丸鋼をＵ字状に曲げてフックを形成し、そのフックの側面に鋼管を側面同士で溶接した構造であって、アンカーが、ナットを螺合できるネジ筋異形棒鋼で構成したものであって、そのアンカーの頭部に固定具の鋼管を通すとともにフックを押え鉄筋に係止し、ナットをアンカーの頭部に螺合して固定具を締め付け、押え鉄筋を保護ネットに押さえ付けて保護ネットと植生マットを土砂又は土嚢の表面形状に沿わせるようにした、請求項１記載の法面保護工法。
【請求項３】
土砂又は土嚢の表面が凹凸を有している場合において、押え鉄筋を凹凸に沿うように曲げて保護ネットの表面に配置するようにした、請求項１又は２記載の法面保護工法。
【請求項４】
押え鉄筋が、保護パイプで被覆したものである、請求項１〜３いずれか記載の法面保護工法。
【発明の詳細な説明】
【技術分野】
【０００１】
本発明は、法面の崩落や表土の流出を防止する法面保護工法に関する。
【背景技術】
【０００２】
従来の法面保護工法としては、法面を整形した後にアンカー孔を掘削してアンカーを挿入し、そのアンカー孔にアンカーの頭部が露出する量のモルタルを充填し、モルタルの硬化後に保護ネットを法面に敷設し、その保護ネットの表面に押えプレートを配置して露出しているアンカーの頭部に定着し、保護ネットを法面に押さえ付けて崩落や表土の流出を防止できるようにした技術がある（例えば特許文献１参照）。
【０００３】
ところで、前記技術では、法面を整形した後、アンカー孔の掘削と充填したモルタルの硬化が完了するまで保護ネットを敷設できないから、整形後の法面が施工途中で崩落しないように仮設的な対策が必要で、工期と施工費を要していた。また、崩落した法面を整形する際、土質や法面の勾配等によっては盛土のみでは強度が不足することがあった。
【先行技術文献】
【特許文献】
【０００４】
【特許文献１】特開２００７−３９９７４号公報
【発明の概要】
【発明が解決しようとする課題】
【０００５】
本発明が解決しようとする課題は、従来のこれらの問題点を解消し、従来技術と比較して短い工期で且つ低コストで法面を補強・保護・緑化できるようにすることにある。
【課題を解決するための手段】
【０００６】
かかる課題を解決した本発明の構成は、
１）  土砂又は土嚢で保護しようとする法面を整形し、その土砂又は土嚢の表面に種子を備えた植生マット付きの保護ネットを敷設し、その保護ネットにアンカーを貫通させて法面の地山に達する深さまで打設し、敷設済みの保護ネットの表面に押え鉄筋を縦向き又は横向きに配置し、打設済みのアンカーの頭部にフック付きの固定具を取り付け、その固定具のフックを押え鉄筋に係止して保護ネットと植生マットを土砂又は土嚢の表面に固定するようにした、法面保護工法
２）  固定具が、丸鋼をＵ字状に曲げてフックを形成し、そのフックの側面に鋼管を側面同士で溶接した構造であって、アンカーが、ナットを螺合できるネジ筋異形棒鋼で構成したものであって、そのアンカーの頭部に固定具の鋼管を通すとともにフックを押え鉄筋に係止し、ナットをアンカーの頭部に螺合して固定具を締め付け、押え鉄筋を保護ネットに押さえ付けて保護ネットと植生マットを土砂又は土嚢の表面形状に沿わせるようにした、前記１）記載の法面保護工法
３）  土砂又は土嚢の表面が凹凸を有している場合において、押え鉄筋を凹凸に沿うように曲げて保護ネットの表面に配置するようにした、前記１）又は２）記載の法面保護工法
４）  押え鉄筋が、保護パイプで被覆したものである、前記１）〜３）いずれか記載の法面保護工法
にある。
【発明の効果】
【０００７】
本発明の前記１）記載の構成によれば、アンカーを地山に直に打設するようにしたから、従来のようにアンカー孔の掘削に要する手間やモルタルの硬化に要する時間が省略され、法面の整形直後に保護ネットを敷設して切土面が早期に保護される。よって、施工途中の崩落等を防止するための仮設的な対策が不要となり、従来技術と比較して短い工期で且つ低コストで法面を保護・緑化できる。また、土嚢で法面を土留めする方法では、盛土のみで強度が不足する法面を同時に補強することができる。
【０００８】
本発明の前記２）記載の構成によれば、保護ネットを容易な作業で法面に固定させることができ、固定具も簡易な構造で低コストで製作でき、従来技術と比較して短い工期で且つ低コストで法面を保護できる。
【０００９】
本発明の前記３）記載の構成によれば、保護ネットと土砂又は土嚢の表面との間に空隙が生じないように保護ネットを密接させることができ、保護ネットが強風等で乱れたり土砂又は土嚢が動いたりしないように確実に固定して安定させることができる。
【００１０】
本発明の前記４）記載の構成によれば、押え鉄筋は、地中に埋設されるアンカーと異なって、地表に配置されて外気や雨水に常に晒されるが、保護パイプの被覆によって耐候性が向上し、品質を長期間に渡って保持できるようになる。
【図面の簡単な説明】
【００１１】
【図１】実施例の施工後の状態を示す断面図である。
【図２】実施例の工程を示す説明図である。
【図３】実施例の工程を示す説明図である。
【図４】実施例の施工後の固定具の状態を示す一部切り欠き断面図である。
【図５】実施例の施工後の法面を示す平面図である。
【図６】実施例の他の例の施工後の固定具の状態を示す一部切り欠き断面図である。
【発明を実施するための形態】
【００１２】
本発明の保護ネットは、整形した法面を被覆して崩落・浸食・表土の流出等を防止し、且つ植物が植生できるようにするためのものである。この保護ネットとしては、ポリエステルやポリプロピレン等の合成樹脂製の繊維を網目状に交織した補強網に、種子を不織布に配合（必要に応じて緩効性の化学肥料を収容した肥料袋を装着）した植生ネットを積層一体化したものを用いる。寸法としては、幅８０〜１００ｃｍ、ロール長２０〜３０ｍが一般的である。施工は、ロール状に巻いたものを縦向きに展開し、この複数枚を横に並べて敷設する。
【００１３】
アンカーは、敷設済みの保護ネットを法面に定着させるためのものである。このアンカーとしては、ナットが螺合できるネジ筋異形棒鋼が用いられ、腐蝕を防止するために表面を溶融亜鉛メッキして防錆処理したものが望ましい。寸法としては、外径１９〜２５ｍｍ、長さは２〜５ｍが一般的である。施工は、専用の打込み機を小型の移動式クレーンで吊り上げ、アンカーに振動を与えながら法面の傾斜に対して直角に且つ頭部が地表から大きく突出しないように直に打ち込む。移動式クレーンが進入できない場所では、人力用の小型打込み機を使用する。
【００１４】
押え鉄筋は、敷設済みの保護ネットを法面の形状に沿うように押さえ付けるためものである。この押え鉄筋としては、接続用のカプラーが螺合できるネジ筋異形棒鋼が用いられ、腐蝕を防止するために表面を溶融亜鉛メッキして防錆処理したものが望ましい。さらに、地中に埋設される前記アンカーと異なって、地表に配置されて外気や雨水に常に晒されるから、好ましくはポリエチレン等の合成樹脂製の保護パイプで被覆して耐候性を高める。寸法としては、外径１６〜２５ｍｍが一般的で、長さは最大５ｍとし、それ以上の長さは設置作業が困難となるから、前記カプラーで継ぎ足して用いる。施工は、複数本を縦向き又は横向きに並行させるか又は格子状に配置する。土砂又は土嚢の表面形状に凹凸がある場合は、その凹凸に合わせて曲げる。
【００１５】
固定具は、配置済みの押え鉄筋を保護ネットの上面に押さえ付けるためのものである。この固定具としては、丸鋼をＵ字状に曲げてフックを形成し、その側面に鋼管を側面同士で溶接したものが用いられ、腐蝕を防止するために表面を溶融亜鉛メッキして防錆処理したものが望ましい。また、２本のフックを鋼管の両側面に溶接し、１体の固定具で２本の押え鉄筋を同時に押さえ付けできるようにしても良い。寸法としては、丸鋼は長さ３０ｃｍ前後、鋼管はアンカーが挿入できる内径で、長さは５〜１０ｃｍが一般的である。施工は、保護ネットの上面から打設済みのアンカーの頭部に被せ、固定具から突出したアンカーの頭部にナットを螺合して固定する。固定具は、脱離防止のために塩化ビニル樹脂等のプラスチック製のキャップで覆い、その内部にモルタル等の固化材を充填して固める。
【００１６】
土砂は、崩落した法面又は崩落しやすい法面を所定の形状に整形する際に用いるものである。この土砂としては、土や、粒径が５〜５０ｃｍ程度の大きさの自然石、砕石等が用いられる。施工は、直接法面に沿って盛土する方法の他、土嚢を積み上げる方法がある。土嚢は、土と砕石を混ぜた材料を締め固めた１．０ｍ程度の立方体にした物、又は網袋に収容した自然石や砕石などを使用する。網袋としては、ポリエステルやポリプロピレン等の合成樹脂製の繊維を網目状に交織したものが用いられる。
【００１７】
その他、敷設済みの保護ネットを法面に定着させる際、必要に応じて補助的に用いる固定ピンがある。この固定ピンとしては、丸鋼の頭部をＵ字状に曲げてフックを形成し、表面に溶融亜鉛メッキ加工して防錆処理したものが用いられる。寸法としては、外径１０〜１５ｍｍ、長さは４００〜６００ｍｍが一般的である。施工は、保護ネットを貫通させて地山に直に打設し、そのフックを保護ネットの網目に係止する。
【００１８】
また、打設済みのアンカーの地表に近い部分を保護パイプで保護して防食することがある。この保護パイプとしては、塩化ビニル樹脂等のプラスチックが用いられる。寸法としては、アンカーが挿入できる内径で、長さは４００〜６００ｍｍが一般的である。施工は、アンカーの打設後に地山に圧入する。
【００１９】
以下、本発明の実施例を図面に基づいて具体的に説明する。なお、本発明は以下の実施例に限定されるものではなく、様々な組み合わせや変形が可能である。
【実施例】
【００２０】
本実施例の法面保護工法を図１〜５に示す。図中、１は保護ネット、２はアンカー、３は押え鉄筋、４は固定具、５は保護パイプ、６は土嚢、７は打込み機、８は道路、９はガードレール、Ｇは地山、Ｎは法面である。
【００２１】
保護ネット１は、補強網として盛土・地盤補強用ジオグリット「テンサー」ＳＳタイプ（製品名）と、植生マットとして合成繊維使用緑化工法用マット多機能フィルターＭＦ−４５Ｒ−０（製品名）の組み合わせを用いた。補強網はポリプロピレン製で、寸法は幅９３ｃｍ、ロール長２５ｍ、結節点厚さ２．８ｍｍである。植生マットはポリエステル製の不織布で、種子と緩効性の化学肥料を備えている。
【００２２】
アンカー２は、ＡＳ３４５メッキボルト（製品名）を用いた。寸法は、外径１９ｍｍ、長さ５．０ｍである。
【００２３】
押え鉄筋３は、ＡＳ３４５メッキボルト（製品名）を用いた。寸法は、外径１６ｍｍ、長さ１．５ｍで、カーボンブラックを含有したポリエチレン製の保護パイプ３ａで被覆している。
【００２４】
固定具４は、外径１６ｍｍ、長さ３０ｃｍの丸鋼４ａをＵ字状に曲げてフック４ｂを形成し、その側面に内径２７．６ｍｍ、長さ７ｃｍの鋼管４ｃを側面同士で溶接し、表面を溶融亜鉛メッキして防錆処理したものを用いた。ナット４ｄは、六角のＡＳメッキコマナット（製品名）を用いた。キャップ４ｅは、塩化ビニル樹脂製のものを用いた。
【００２５】
保護パイプ５は、内径２５ｍｍ、長さ５００ｍｍの塩化ビニル樹脂製のものを用いた。土嚢６は、土と砕石を混ぜた材料を締め固めた１．０ｍ程度の立方体のものを用いた。
【００２６】
以下、崩壊した路肩の復旧を例にした法面保護工法の工程を説明する。
【００２７】
まず、図２（ａ）に示すように、法面Ｎの崩落箇所を盛土し、その側面に複数体の土嚢６を積み上げて締め固める。
【００２８】
次に、図２（ｂ）に示すように、積み上げた土嚢６の表面及びその下方に渡ってロール状に巻いた保護ネット１を縦向きに展開し、その複数枚を横に並べて敷設し、押えピン（図示は省略）で一定間隔に仮止めする。
【００２９】
次に、図３（ａ）に示すように、打込み機７にアンカー２を取り付け、そのアンカー２に振動を与えながら敷設済みの保護ネット１に貫通させて頭部が地表から大きく突出しないように地山Ｇに達する深さまで直に打設する。
【００３０】
次に、図３（ｂ）に示すように、押え鉄筋３を敷設済みの保護ネット１の表面に縦向きに配置する。法面Ｎに凹凸がある場合は、その形状に合せて曲げる。長さが１本で不足する場合は、カプラー（図示は省略）で必要本数を接続する。
【００３１】
次に、図１，４，５に示すように、アンカー２の頭部を覆うようにキャップ４ｅをその上端が保護ネット１と面一になる深さまで圧入し、そのキャップ４ｅ内のアンカー２に保護パイプ５を通して圧入し、固定具４の鋼管４ｃをアンカー２及び保護パイプ５の頭部に通すとともにフック４ｂを押え鉄筋３に係止する。そして、ナット４ｄをアンカー２の頭部に螺合してインパクトドリル等で締め付け、押え鉄筋３を保護ネット１に押さえ付けて法面Ｎに沿わせる。最後に、キャップ４ｅの内部にモルタルＭを充填して固定具４が脱離しないように固める。
【００３２】
図６に示すのは、実施例の固定具４の他の例である。この例では、フック４ｂを備えた２本の丸鋼４ａを鋼管４ｃの両側面に対称に溶接しており、片側又は両側のフック４ｂで１本又は２本の押え鉄筋３の押さえ付けを可能としている。その他、符号、構成、作用効果は実施例と同じである。
【産業上の利用可能性】
【００３３】
本発明の技術は、崩壊した路肩の復旧、決壊した護岸の補修、崩落した岩盤壁面の保護、又はこれらの崩壊等が予測される法面の事前補強に利用される。
【符号の説明】
【００３４】
１    保護ネット
２    アンカー
３    押え鉄筋
３ａ  保護パイプ
４    固定具
４ａ  丸鋼
４ｂ  フック
４ｃ  鋼管
４ｄ  ナット
４ｅ  キャップ
５    保護パイプ
６    土嚢
７    打込み機
８    道路
９    ガードレール
Ｇ    地山
Ｍ    モルタル
Ｎ    法面
【図１】
0006049211.tif 000002
【図２】
0006049211.tif 000003
【図３】
0006049211.tif 000004
【図４】
0006049211.tif 000005
【図５】
0006049211.tif 000006
【図６】
0006049211.tif 000007